(57)【特許請求の範囲】
【請求項１】
複数の細長い荷重支持部材（４０）を所定の構成に配列する段階と、
型内に上記荷重支持部材を位置決めし、かつ、ウレタン被覆材被覆後のロープアセンブリの型からの取り外しを容易にするように、上記型に離型剤を塗布する段階と、
ワックスを含有しない単一の熱可塑性ポリウレタン被覆材（４２）を、上記荷重支持部材に被覆する段階と、を含むエレベータロープアセンブリの製造方法。
【請求項２】
上記ポリウレタン被覆剤（４２）を上記荷重支持部材に被覆する段階が、矩形断面を有するポリウレタン被覆剤の被覆を含むことを特徴とする請求項１に記載の製造方法。
【発明の詳細な説明】
【背景技術】
【０００１】
本発明は、一般的に、被覆された少なくとも１つの荷重支持部材を備えた、エレベータ用のベルトもしくはロープに関する。より具体的には、ワックスを含有しないウレタン被覆材を備えたエレベータ用のロープ・ベルトのアセンブリに関する。
【０００２】
エレベータシステムは、通常、建物の階床間における乗客の運搬を行うかごを備える。釣り合いおもりが、かごと組み合わされることが多い。釣り合いおもりとかごとは、一般に、ロープやベルトによって繋がれる。ある種の構成においては、これらのロープやベルトは、スチールのコードやストランドのような複数の荷重支持部材を含む。荷重支持部材は、通常、ウレタン被覆材により覆われる。
【０００３】
従来のウレタン被覆に関する問題の１つに、ウレタン材料が、通常、１種類もしくは２種類以上のワックスを含むことが挙げられる。これらのワックスは、通常、ウレタン製造工程の一環として加えられる。ワックスにより、成形完了品が型から容易に取り外せることとなるため、少なくとも、後の成形工程の円滑化のために、一般にワックスが加えられる。
【発明の開示】
【発明が解決しようとする課題】
【０００４】
エレベータシステムにおいてこのようなワックスの存在により引き起こされる特有の問題として、ワックスにより、エレベータシステムにおける、ロープ・ベルトとそれと係合するシーブとの間の摩擦が低下しやすくなることが挙げられる。時間の経過により、ワックスがシーブに堆積し得るため、エレベータシステムの摩擦特性のさらなる低下をもたらすことになる。摩擦は、要求どおりに、エレベータシステム構成部品を駆動させたり、かごを移動させたりするのに必要となるため、摩擦力を低下させるワックスその他の材料は、望ましくないものである。
【０００５】
従って、エレベータシステムの被覆付きロープ・ベルトの摩擦を向上させる構成が求められている。本発明は、上述した従来の構成が有する欠点や難点を回避しつつ上記要求に対応するものである。
【課題を解決するための手段】
【０００６】
本発明は、一般的に、ワックスを含有しない被覆材を備えたエレベータ用のロープ・ベルトのアセンブリに関する。本発明に基づいて設計されたアセンブリは、少なくとも１つの荷重支持部材を含む。１つの例として、複数の金属製のストランドもしくはコードが荷重支持部材となる。荷重支持部材を覆うウレタン被覆材はワックスを含有しない。
【０００７】
当業者であれば、現在好適な態様が記載されている以下の詳細な説明を参照することにより、本発明の種々の特徴や長所が明らかとなろう。詳細な説明に添付された図面についても、以下のように簡単な説明が付されている。
【発明を実施するための最良の形態】
【０００８】
エレベータシステム２０は、建物内の複数の階床（図示せず）間における乗客の運搬を行うかご２２を備える。釣合いおもり２４は、少なくとも１つの荷重支持アセンブリ２６を介してかご２２に連結される。この荷重支持アセンブリ２６には、所定のエレベータシステムに要求された所定の構成に応じて、ロープアセンブリもしくはベルトが用いられる。本発明は、厳密な意味において、「ロープ」もしくは「ベルト」に制限されるわけでない。どちらも本発明の対象となる。従って、本明細書内で使用される用語である「ロープ」もしくは「ベルト」は厳密な意味に解釈されるべきでなく、これらの２つの用語は、必要に応じて、置き換え可能なもしくは同義のものとして解釈されるべきである。
【０００９】
シーブ２８，３０は、かご２２を種々の階床の間で移動させるための所定の通路に沿ってベルト２６を案内する。一般的な駆動機構３２は、シーブ３０と協働して、要求どおりに、ベルトを駆動し、エレベータ部品を移動させるものである。釣り合いおもり２４とかご２２は、通常の方法により昇降路（想像線３４により図示）内を移動する。
【００１０】
ベルトアセンブリ２６は、例えば、金属製、もしくは非金属アラミド製である、複数の荷重支持部材４０を含むことが望ましい。上記の荷重支持部材の実施例には、コードやストランドが含まれる。荷重支持部材は、具体的なエレベータシステムにおいて所望の強度特性を備えるように、通常の方法（例えば、らせん状の巻きつけ）により構成される。
【００１１】
ウレタン被覆材４２は、荷重支持部材４０に固定される。荷重支持部材は、少なくとも部分的に、ウレタン被覆材４２により覆われる。幾つかの実施例においては、荷重支持部材４０は、完全にウレタン被覆材４２により覆われる。
【００１２】
ウレタン被覆材４２は、熱可塑性のウレタン材料であることが望ましい。このウレタン被覆材は、ワックスを含有しない。ウレタン材料に通常加えられる一般的なステアレート系のワックスが、上記ウレタン被覆材４２には加えられない。つまり、ウレタン被覆材４２はワックスを含有していないことが望ましい。
【００１３】
ウレタン被覆材４２にワックスが全く加えられないために、本発明に基づいて設計されたベルトアセンブリ２６の製造工程は、従来のベルト製造工程と多少異なっている。例えば、ベルトアセンブリ２６の成形の一部として使用されるモールドホイールに、部品の完全性と型からの適切な離型性を確保するように離型剤が塗付される。本明細書を参照することにより、当業者であれば、適切な市販の離型剤から所望のものを選択することできる。上記離型剤は、ウレタン材料にワックスが含まれていないことを補填するために塗布される。
【００１４】
加えて、ウレタンの離型を容易にするワックスがウレタン材料に存在していないために、ベルトアセンブリ２６を生産するために用いられる機械設備は、通常要求されるよりも強く作用する引き離し機構を備えることが望ましい。さらに、品質管理の観点から精度のよい製品寸法を得るために、切断工程に調整を要すると考えられる。本明細書を参照することにより、当業者であれば、ウレタン被覆剤４２の成形に用いられるウレタン材料にワックスが含まれていないことを補填するのに必要な機械設備の調整形式を把握できるだろう。
【００１５】
本発明により設計されたエレベータロープアセンブリにより、エレベータシステムに優れた摩擦特性が与えられる。摩擦を妨げ、エレベータシステムのシーブに堆積し得るワックスが、除かれた状態であるので、より一貫した生産工程が実現される。
【００１６】
前述の記載は、本質的には、例示的なものであって制限的なのものではない。当業者であれば、開示された態様から、本発明の目的や趣旨から必ずしも逸脱するとはこととならないような変更や改良を想到し得るだろう。本発明に付与される法的保護の範囲は、添付の請求項に基づいて定められる。
【図面の簡単な説明】
【００１７】
【図１】本発明に基づいて設計されたアセンブリを備えたエレベータシステムを示す図。
【図２】本発明に基づいて設計されたエレベータロープアセンブリを示す図。
【図１】
0004304065.tif 000002
【図２】
0004304065.tif 000003